(57)【要約】【課題】色分解プリズムを保持部材に取付ける構造において、組立時に確実で安定した位置決めができるようにすることを目的とする。【解決手段】色分解プリズムの射出部傾斜面に位置決め手段を設け、その位置決め手段の位置は、色分解プリズムの重心と同じあるいは重心より上方に配置する構成とする。【選択図】        図１
2004309620.tif 000002
【特許請求の範囲】
【請求項１】
撮影レンズからの入射光束を複数のプリズムにより複数の色に分解を行う色分解プリズムにおいて、プリズム入射面と射出面である傾斜面に位置決め手段を有することを特徴とする色分解プリズム。
【請求項２】
該色分解プリズムの傾斜面に設けた位置決め手段は、色分解プリズムの重心位置と同じ、あるいは重心位置より上方に配置したことを特徴とする請求項１の色分解プリズム。
【請求項３】
該色分解プリズムの入射面に設けた位置決め面は、有害光を受光面に到達させない範囲で凹状に構成したことを特徴とする請求項１の色分解プリズム。
【発明の詳細な説明】
【０００１】
【発明の属する技術分野】
本発明は、テレビカメラ等の撮影系に使用される色分解プリズムの取付構造等に関するものである。
【０００２】
【従来の技術】
従来より、テレビカメラ等の撮影系において、撮影レンズから入射する光を複数のプリズムにより分光する為の色分解光学系が構成されており、該色分解光学系に用いる色分解プリズムは、該色分解プリズムを通過した光束が撮像手段の所定の位置に高精度に入射するように支持部材で支持することが要求されている。該色分解プリズムの取付構造に関しては、実開平１−８１６１４など様々な方式のものが提案されている。図７は実開平１−８１６１４にて開示された色分解プリズムの支持方法を示した概略図であり、同図において、１は撮影レンズ、２は１の撮影レンズと３の基台を接続する為のマウント、３は基台、４は色分解プリズム、１０はＣＣＤなどの撮像素子、１１は支持部材、１２と１４はビス、１３は保持金具である。
【０００３】
上記構成において、４ａ・４ｂ・４ｃの色分解プリズムは接着材などで強固に固定されて１つのユニットを形成しており、４の色分解プリズムの光入射面を３の基台の取付け面に突き当て、１１の支持部材の１１ａ面を４ａ１面に当て、１１ｂ面を４ｂ１面に当てて位置を決めた所で１２のビスにより固定する。
【０００４】
次に、１３の保持金具を４ａ２面や、４ｃ１面に当てながら１４のビスにより固定する。これにより、少ない構成部品で高精度の位置決め及び保持を可能にしている。
【０００５】
【発明が解決しようとする課題】
しかしながら上記従来例では、支持部材を色分解プリズムの傾斜角に高精度に設置する必要がある為に、複数の傾斜角に対応する部品の精度が厳しくなり製造コストが増大する、あるいは組立工程での調整作業を必要とするなどの欠点があった。
【０００６】
本出願に係わる発明の目的は、簡単な組合せで高精度に安定した色分解プリズムの位置決めができるようにした色分解プリズムの保持構造を提供することである。
【０００７】
【課題を解決するための手段】
上記目的を達成するため、本出願に係わる発明は、色分解プリズムを保持する基台に配置する位置決め部材を、色分解プリズムの傾斜面に当たる稜線上で、色分解プリズムの重心と同じあるいは重心より上方の位置に構成したことを特徴とする。
【０００８】
上記構成において、色分解プリズムの位置決めピンが色分解プリズムの重心と同じあるいは重心より上方の位置にあるために、色分解プリズムを保持する基台に取付ける際、色分解プリズムの位置は安定する。
【０００９】
【発明の実施の形態】
（第１の実施例）
図１〜４は本発明の特徴を最も表す図面であり、テレビカメラ等で使用される３ブロック型の色分解プリズムを構成したもので表している。同図において１は撮影レンズ、２はマウント、３は基台、４は色分解プリズム、５は位置決めピンで４の色分解プリズムの重心と同じ位置あるいは重心より上方の位置に、４の色分解プリズムを挟むような状態で二つ配置している。６はビス、７は保持金具で弾性形状をしている、８はＣＣＤなどの撮像素子を取付けるための取付け部材である。
【００１０】
同図において、４ａ・４ｂ・４ｃの色分解プリズムは接着材などで強固に固定されており、１つのユニットを形成している。次に４の色分解プリズムを３の基台に取付ける方法を説明する。まず４の色分解プリズムを上方から３の基台の取付け面、３ａ面を滑らせるように落下方向（矢印Ａ方向）に持ってくると、５の位置決めピンが４ａ１面に突当たる。５の位置決めピンは、４の色分解プリズムの重心と同じあるいは重心より上方に配置している為、４の色分解プリズムはこの状態で安定する。次に４の色分解プリズムを３の基台の取付け面３ｂ方向に突当てながら７の保持金具を取付けて、６のビスで固定する。この時７の保持金具は、弾性形状部分が歪んで４の色分解プリズムが振動などで動かない程度の圧力をかける。
【００１１】
上記構成において、３の基台の３ａ面は４の色分解プリズムの取付け面であり、一部凹にしてある。一部凹の大きさは４ａ１のプリズムの有効範囲及び有害光（ゴースト光）発生範囲を回避した大きさとしている。３ａ面を一部凹にしたことで発生する隙間はシール材で埋めて防塵構造とする。
【００１２】
（第２の実施例）
図５は第２の実施例を表す図面であり、４の色分解プリズム射出面部に接着などで固定されたＣＣＤ取付け部材が、巾方向で色分解プリズムより大きい場合の取付け方法を説明する。８ａ・８ｂ・８ｃはＣＣＤ取付け部材、５は位置決めピンであり、不図示のねじなどで取外し可能にしてある他は第１の実施例と同一である。同図において、４の色分解プリズムを３の基台を取付ける場合、第１の実施例に示すようにするには、８ａ・８ｂ・８ｃのＣＣＤ取付け部材が３の基台に干渉するためできない。この場合は、あらかじめ５の位置決めピンを３の基台から外すか４の色分解プリズムに当たらない位置までずらしておき、４の色分解プリズムを水平方向（矢印Ｂ）に３ｂの基台の取付け面まで持っていく。次に５の位置決めピンを３の基台に差し込んで４ａ１の面に突き当てれば第１の実施例と同様に４の色分解プリズムは安定する。以下は、第１の実施例と同じように４の色分解プリズムを固定する。
【００１３】
（第３の実施例）
図６は第３の実施例を表す図面であり、９はゴムやスポンジなどの弾性部材であり、その他は第１の実施例と同一である為割愛する。同図において、第１の実施例では４の色分解プリズムを固定する部材として弾性形状を有する保持金具を構成したが、弾性形状を持たない保持金具を構成しても、４の色分解プリズムの間に９の弾性部材を挟むことで、第１の実施例と同じように固定することは可能であり、この場合、部品点数は増えるがガラス部品を保護する点で有利である。
【００１４】
（その他の実施例）
第１の実施例では４の色分解プリズムの位置決め面として、３の基台の３ｂ面を使用するとしたが、３ｃ面を使用しても同様の効果が得られることは容易に想像できる。また、第１の実施例では３ブロック型の色分解プリズムについて説明したが、２ブロック型や他の複数ブロック型の色分解プリズムにおいても傾斜面を有するため、本発明の位置決め方法は応用できる。
【００１５】
【発明の効果】
以上説明したように、本出願に係わる発明によれば、色分解プリズムを支持する支持部材に設けた位置決めピンの位置を、色分解プリズムの重心と同じあるいは重心より上方に配置することにより、組立時の姿勢が安定する為確実な位置決めが可能となり高精度で安定した生産が可能となる。また、プリズム形状に傾斜面があれば位置決めできるため、複数ブロック構成の様々な色分解光学系に対し適用できる。このため応用範囲が広いといえる。
【００１６】
更には、色分解プリズム入射面を取付ける支持部材の面を一部凹状に構成することにより、有害光が受光面まで到達することを抑えることができるという効果がある。
【図面の簡単な説明】
【図１】本発明の第１の実施例に係わる色分解光学系を表す斜視図である。
【図２】本発明の第１の実施例に係わる撮影系を表す側面図である。
【図３】本発明の第１の実施例に係わる色分解光学系を表す背面図である。
【図４】本発明の第１の実施例に係わる図２のＢ−Ｂ断面図である。
【図５】本発明の第２の実施例に係わる色分解光学系を表す斜視図である。
【図６】本発明の第３の実施例に係わる色分解光学系を要部拡大図である。
【図７】従来例を説明する図である。
【符号の説明】
１  撮影レンズ
２  マウント
３  基台
４  色分解プリズム
５  位置決めピン
６  ビス
７  保持金具
８  撮像素子
９  弾性部材
１０  ＣＣＤなどの撮像素子
【図１】
2004309620.tif 000003
【図２】
2004309620.tif 000004
【図３】
2004309620.tif 000005
【図４】
2004309620.tif 000006
【図５】
2004309620.tif 000007
【図６】
2004309620.tif 000008
【図７】
2004309620.tif 000009